(57)【特許請求の範囲】
【請求項１】
呼吸保護装置用のハーネス組立体であって、
取り付け点を有するストラップ支持体と、
第１のストラップ取り付け要素を有する第１のストラップと、
第２のストラップ取り付け要素を有する第２のストラップと、を含み、
該第１のストラップ取り付け要素は、該第２のストラップ取り付け要素に取り付け可能であり、かつ該ストラップ支持体の該取り付け点に取り付け可能であり、該第１及び第２のストラップは、該第１のストラップ取り付け要素が該第２のストラップ取り付け要素にのみ取り付けられる第１の構成と、該第１のストラップ取り付け要素が該第２のストラップ取り付け要素及び該ストラップ支持体の該取り付け点に取り付けられる第２の構成との間で位置付け可能であり、
前記第１のストラップ取り付け要素と前記第２のストラップ取り付け要素とが取り付けられているとき、前記第１のストラップ取り付け要素は、前記第２のストラップ取り付け要素に対して回転可能である、ハーネス組立体。
【請求項２】
前記第１のストラップ取り付け要素が前記第２のストラップ取り付け要素及び前記ストラップ支持体の前記取り付け点に取り付けられているとき、前記第１のストラップ取り付け要素は、前記第２のストラップ取り付け要素に対して回転可能である、請求項１に記載のハーネス組立体。
【請求項３】
前記第１のストラップ取り付け要素は、第１の中央開口を画定する第１のリングを含む、請求項１に記載のハーネス組立体。
【請求項４】
呼吸保護装置用のハーネス組立体であって、
着用者の頭頂部の周りに位置付け可能であり、かつ第１及び第２の上部取り付け点、並びに中央下部取り付け点を有するストラップ支持体と、
該第１及び第２の上部取り付け点に取り付け可能な第１及び第２の上部ストラップと、
第１のストラップ取り付け要素を有する第１の下部ストラップと、
第２のストラップ取り付け要素を有する第２の下部ストラップと、を含み、
該第１のストラップ取り付け要素は、該第２のストラップ取り付け要素に取り付け可能であり、かつ該ストラップ支持体の該下部取り付け点に取り付け可能であり、該第１及び第２の下部ストラップは、該第１のストラップ取り付け要素が該第２のストラップ取り付け要素にのみ取り付けられる第１の構成と、該第１のストラップ取り付け要素が該第２のストラップ取り付け要素及び該下部取り付け点に取り付けられる第２の構成との間で位置付け可能であり、
前記第１のストラップ取り付け要素と前記第２のストラップ取り付け要素とが取り付けられているとき、前記第１のストラップ取り付け要素は、前記第２のストラップ取り付け要素に対して回転可能である、ハーネス組立体。
【発明の詳細な説明】
【技術分野】
【０００１】
本開示は、ハーネス組立体に関し、詳細には、第２のストラップ取り付け要素及びストラップ支持体の取り付け点に取り付け可能な第１のストラップ取り付け要素を含む呼吸保護装置用のハーネス組立体に関する。
【背景技術】
【０００２】
例えば、使用者の鼻及び口を覆い、かつ濾過された空気を着用者に提供する呼吸保護装置が、よく知られている。空気は、着用者によって生じた負圧により呼吸に適した空気の供給源を介して引き込まれ、又は、例えば、ファン又は送風機によって呼吸ゾーンへ強制的に送り込まれ、そこで、空気が着用者によって吸い込まれる場合もある。
【０００３】
着用者の鼻及び口の上方に呼吸保護装置を位置付け、かつ維持するための、様々なストラップ構成及びハーネス組立体が提供されてきた。例えば、いくつかのハーネス組立体は、着用者の首部の後を通る１つ以上の引っ張られたストラップを含む場合があり、これにより、呼吸保護装置は、着用者の鼻及び口の上方で引き寄せられる。他のハーネス組立体は、呼吸保護装置を所望の位置に維持するために、着用者の頭部に置かれ、かつ１つ以上のストラップが取り付けられ得る支持部材を備え得る。
【発明の概要】
【課題を解決するための手段】
【０００４】
本開示は、取り付け点を有するストラップ支持体と、第１のストラップ取り付け要素を有する第１のストラップと、第２のストラップ取り付け要素を有する第２のストラップと、を含む、呼吸保護装置用のハーネス組立体を提供する。第１のストラップ取り付け要素は、第２のストラップ取り付け要素に取り付け可能であり、かつストラップ支持体の取り付け点に取り付け可能であり、第１及び第２のストラップは、第１のストラップ取り付け要素が第２の取り付け要素にのみ取り付けられる第１の構成と、第１の取り付け要素が第２の取り付け要素及びストラップ支持体の取り付け点に取り付けられる第２の構成との間で位置付け可能である。例示的実施形態では、第１の取り付け要素と第２の取り付け要素とが取り付けられているとき、第１の取り付け要素は、第２の取り付け要素に対して回転可能である。
【０００５】
本開示は、着用者の頭頂部の周りに位置付け可能であり、かつ第１及び第２の上部取り付け点並びに中央下部取り付け点を有するストラップ支持体と、第１及び第２の上部取り付け点に取り付け可能である第１及び第２の上部ストラップと、第１のストラップ取り付け要素を有する第１の下部ストラップと、第２のストラップ取り付け要素を有する第２の下部ストラップと、を含む、レスピレータ用のハーネス組立体を更に含む。第１のストラップ取り付け要素は、第２の取り付け要素に取り付け可能であり、かつストラップ支持体の下部取り付け点に取り付け可能であり、第１及び第２の下部ストラップは、第１のストラップ取り付け要素が第２の取り付け要素にのみ取り付けられる第１の構成と、第１の取り付け要素が第２の取り付け要素及び下部取り付け点に取り付けられる第２の構成との間で位置付け可能である。
【０００６】
本開示は、第１の中央開口を画定する第１のリングを有する第１のストラップ取り付け要素を有する第１の下部ストラップと、第２の中央開口を画定する第２のリングを有する第２のストラップ取り付け要素を有する第２の下部ストラップと、を含む、レスピレータ用のハーネス組立体を更に提供する。第１の取り付け要素と第２の取り付け要素とが取り付けられているとき、第１のストラップ取り付け要素が、第２のストラップ取り付け要素に対して回転し得るように、第１のストラップ取り付け要素は、第２の取り付け要素に取り付け可能であり、第１のストラップ取り付け要素と第２のストラップ取り付け要素とが取り付けられているとき、第１及び第２の中央開口は、実質的に整列している。
【０００７】
上記の課題を解決するための手段は、開示されたそれぞれの実施形態又はあらゆる実施を記述するようには意図されていない。以下の図面及び発明を実施するための形態は、実例となる実施形態をより詳細に例示するものである。
【図面の簡単な説明】
【０００８】
本開示は、添付図面を参照して更に説明され得るが、その際、同様の構造は、いくつかの図面を通して同様の数字によって参照される。
【図１】本開示によるハーネス組立体を含む、例示的な個人保護装置の側面図である。
【図２】例示的な第１及び第２のストラップ取り付け要素を、それらが取り付けられていない構成において、有する、本開示による例示的なハーネス組立体の後面図である。
【図３】第１のストラップ取り付け要素と第２のストラップ取り付け要素とが取り付けられている第１の構成における、例示的な第１及び第２のストラップ取り付け要素を有する、本開示による例示的なハーネス組立体の後面図である。
【図４】第１の取り付け要素が第２の取り付け要素及びストラップ支持体の取り付け点に取り付けられている第２の構成における、例示的な第１及び第２のストラップ取り付け要素を有する、本開示による例示的なハーネス組立体の後面図である。
【図５】例示的な第１及び第２のストラップ取り付け要素を、それらが取り付けられていない構成において、有する、本開示による例示的なハーネス組立体の後面図である。
【図６】第１のストラップ取り付け要素と第２のストラップ取り付け要素とが取り付けられている第１の構成における、例示的な第１及び第２のストラップ取り付け要素を有する、本開示による例示的なハーネス組立体の後面図である。
【図７】第１の取り付け要素が第２の取り付け要素及びストラップ支持体の取り付け点に取り付けられている第２の構成における、例示的な第１及び第２のストラップ取り付け要素を有する、本開示による例示的なハーネス組立体の後面図である。
【図８】第１の取り付け要素が第２の取り付け要素及びストラップ支持体の取り付け点に取り付けられている第２の構成における、例示的な第１及び第２のストラップ取り付け要素を有する、本開示による例示的なハーネス組立体の後面図である。
【０００９】
上記の図面は、開示される主題の様々な実施形態を記載するが、他の実施形態もまた想到される。全ての場合において、本開示は、制限事項としてではなく、代表的な例として、開示された主題を提示する。本開示の原則の範囲内及び趣旨内に含まれる他の多くの修正及び実施形態を当業者が考案し得ると理解すべきである。
【発明を実施するための形態】
【００１０】
本開示は、呼吸保護装置ハーネス組立体を提供する。ハーネス組立体は、取り付け点を有するストラップ支持体と、第１のストラップ取り付け要素を有する第１のストラップと、第２のストラップ取り付け要素を有する第２のストラップと、を含む。第１のストラップ取り付け要素は、第２の取り付け要素に取り付け可能であり、かつストラップ支持体の取り付け点に取り付け可能である。第１及び第２のストラップは、第１のストラップ取り付け要素が第２のストラップ取り付け要素にのみ取り付けられる第１の構成と、第１のストラップ取り付け要素が第２のストラップ取り付け要素及びストラップ支持体の取り付け点に取り付けられる第２の構成との間で位置付け可能である。よって、本開示による例示的なハーネス組立体によって、着用者は、第１の取り付け要素と第２の取り付け要素とが互いに取り付けられているとき、第１及び第２のストラップが着用者の首部の後を通る第１の構成、又は第１及び第２のストラップ並びにストラップ取り付け要素が着用者の首部より上に持ち上げられ、かつストラップ支持体の取り付け点に取り付けられる第２の構成を、選ぶことができる。ハーネス組立体の第１の構成と第２の構成との両方によって、呼吸保護装置は、着用者の鼻及び口の上方で適切に位置付けられ、呼吸に適した空気を着用者に送達することができる。
【００１１】
図１は、本開示による例示的なハーネス組立体１００を含む例示的な呼吸保護装置１０を示す。呼吸保護装置１０は、マスク本体２０を含む。マスク本体２０は、硬質又は半硬質部２０ａと、顔接触部２０ｂと、を含んでもよい。顔接触部２０ｂは、快適なフィット性を提供し、かつ着用者の顔に対して密着し、外気の進入を防止することができる、柔らかい又は適合材料から形成され得る。ハーネス組立体１００は、上部ストラップ１４１及び下部ストラップ１４２などの１つ以上のストラップを含み、着用者の鼻及び口の上方の使用位置に呼吸保護装置１０を固定してもよい。上部ストラップ１４１及び下部ストラップ１４２は、例えば、マスク本体２０のループ又は取り付け要素を通り抜ける、単一の連続した一体型のストラップの一部であってもよく、又は、それぞれがマスク本体２０に取り付けられた別個の個々のストラップであってもよい。例示的実施形態では、ハーネス組立体１００は、着用者の頭頂部の周りで概ね適合するように構成されているストラップ支持体１２０を含む。上部ストラップ１４１及び下部ストラップ１４２は、適切に引っ張られ、これにより、マスク本体２０の顔接触部２０ｂが適宜、位置付けられ、かつ／又は着用者の顔に対して密着され得る。
【００１２】
ストラップ支持体１２０は、着用者の頭頂部又は頭部最上部の周りに位置付けられ得、かつ１つ以上のストラップが取り付けられ得る、任意の所望の形状を呈してもよい。いくつかの実施形態では、ストラップ支持体１２０は、プラスチック、発泡体、エラストマーポリマー、革、繊維、メッシュ、又は他の好適な材料のうちの１つ以上を含む。ストラップ支持体は、また、ヘルメット、レスピレータのフード、又は他の頭部カバーなどの頭部カバー用支持体を提供してもよい。他の例示的実施形態では、ストラップ支持体１２０は、縁なし帽、ヘルメット、フード、つばなし帽、網、又は、着用者の頭頂部又は頭部最上部の周りに位置付けられ得、かつ１つ以上のストラップの取り付けを可能にし得る他の好適な頭部カバーなどの頭部カバーである。
【００１３】
例示的実施形態では、ストラップ支持体１２０は、１つ以上の上部取り付け点１２１を含む。１つ以上の上部ストラップ１４１を１つ以上の上部取り付け点１２１に取り付けてもよい。例示的実施形態では、ハーネス組立体１００は、マスク本体２０から着用者の耳の前、かつ／又は着用者の耳の上方を延在し、ストラップ支持体１２０の第１の上部取り付け点１２１ａに取り付けられた、第１の上部ストラップ１４１ａと、マスク本体２０から着用者の反対側の耳の前、かつ／又は着用者の反対側の耳の上方を延在し、ストラップ支持体１２０の第２の上部取り付け点（図示せず）に取り付けられた第２の上部ストラップ（図示せず）と、を含む。ハーネス組立体１００は、第１のストラップ取り付け要素１５０を有する第１の下部ストラップ１４２ａと、第２のストラップ取り付け要素１６０を有する第２の下部ストラップ（図示せず）と、を更に含む。ストラップ支持体１２０は、下部取り付け点１２３を更に含む。例示的実施形態では、取り付け点１２３は、ストラップ支持体１２０の下向きに延在する下部１２４上の中央に位置する。第１のストラップ取り付け要素１５０及び第２のストラップ取り付け要素１６０は、第１及び第２の下部ストラップを所望の長さで確実に維持し、かつ下部ストラップの調整を可能にしてもよい。より詳細を後述するように、第１のストラップ取り付け要素１５０は、第２のストラップ取り付け要素１６０に取り付け可能であり、かつストラップ支持体１２０の下部取り付け点１２３に取り付け可能である。よって、第１及び第２の下部ストラップは、少なくとも、第１のストラップ取り付け要素１５０が第２のストラップ取り付け要素１６０にのみ取り付けられる第１の構成（実線で示す）と、第１のストラップ取り付け要素１５０が第２のストラップ取り付け要素１６０及びストラップ支持体１２０の下部取り付け点１２３に取り付けられる第２の構成（仮想線で示す）との間で位置付け可能である。
【００１４】
図２、３、及び４は、下部取り付け点２２３を有するストラップ支持体２２０と、第１のストラップ取り付け要素２５０を有する第１の下部ストラップ２４２ａと、第２のストラップ取り付け要素２６０を有する第２の下部ストラップ２４２ｂと、を含む、ハーネス組立体２００の例示的実施形態の後面図である。図２は、例えば、着用者がハーネス組立体２００及び呼吸保護装置（図示せず）を装着している際、第１のストラップ２４２ａ及び第２のストラップ２４２ｂを、それらが取り付けられる直前の、取り付けられていない構成において、示す。図３は、第１のストラップ取り付け要素２５０と第２のストラップ取り付け要素２６０とが取り付けられ、例えば、呼吸保護装置が着用者の鼻及び口の上方の使用位置に維持され得る第１の構成における、第１のストラップ２４２ａ、及び第２のストラップ２４２ｂを示す。図４は、第１のストラップ取り付け要素２５０が第２のストラップ取り付け要素２６０及びストラップ支持体２２０の取り付け点２２３に取り付けられ、例えば、呼吸保護装置が着用者の鼻及び口の上方の使用位置に維持され得る第２の構成における、第１のストラップ２４２ａ、及び第２のストラップ２４２ｂを示す。
【００１５】
第１のストラップ２４２ａ及び第２のストラップ２４２ｂは、第１の端部２４３ａ及び第２の端部２４３ｂに近接した、第１のストラップ取り付け要素２５０及び第２のストラップ取り付け要素２６０を含む。ストラップ２４２ａ、２４２ｂは、第１の取り付け要素と第２の取り付け要素に固定され、これにより、ストラップ２４２ａ、２４２ｂの所望の長さを提供し得る。いくつかの例示的実施形態では、ストラップ２４２ａ、２４２ｂが長く、又は短くなるように、ストラップ２４２ａ、２４２ｂの長さを調整してもよく、例えば、ハーネス組立体２００が使用のために位置付けられるとき、ストラップを緩めてもよく、又は締めてもよい。
【００１６】
第１のストラップ取り付け要素２５０は、第２のストラップ取り付け要素２６０、及びストラップ支持体２２０の取り付け点２２３に取り付け可能である。例示的実施形態では、第１のストラップ取り付け要素２５０は、第１及び第２の取り付け機構を含み、これにより、第１の取り付け機構は、第２のストラップ取り付け要素の補完的機構に取り付け可能であり、第２の取り付け機構は、取り付け点２２３に取り付け可能である。例えば、第１のストラップ取り付け要素２５０は、チャネル２５２を画定するフック２５１の形態の第１の取り付け機構を含んでもよい。他の例示的実施形態では、第１の取り付け機構は、ループ、タブ、フランジ付き突起部、収容部、又は他の好適な取り付け機構の形態であってもよい。
【００１７】
例示的実施形態では、第１のストラップ取り付け要素２５０は、第１の中央開口２５４を画定する第１のリング２５３を含む。フック２５１は、リング２５３に近接して位置付けられ、かつリング２５３の内周縁部２５５から概ね上向き、かつ外向きに延在する。いくつかの実施形態では、リング２５３は、第２のストラップ取り付け要素２６０の一部を受容する大きさの溝又は凹部２５６を含み、フランジ２５７は、溝又は凹部２５６の少なくとも一部の周りに延在してもよい。
【００１８】
第２のストラップ取り付け要素２６０は、第１のストラップ取り付け要素２５０の取り付け機構を補完する形状を有する１つ以上の取り付け機構を含む。例示的実施形態では、第２のストラップ取り付け要素２６０は、第２の開口２６４を画定する第２のリング２６３を含む。リング２６３の一部は、第１のストラップ取り付け要素２５０及び第２のストラップ取り付け要素２６０を取り付けるため、フック２５１及び／又はチャネル２５２の内部又は周りに位置付け可能である。
【００１９】
いくつかの例示的実施形態では、第１のストラップ取り付け要素２５０及び第２のストラップ取り付け要素２６０は、分離が、不可能であり得る、又は第１のストラップ取り付け要素２５０及び第２のストラップ取り付け要素２６０の一方又は両方を破壊することによってのみ可能で有り得るように、永久的に取り付けられてもよい。着用者がハーネス組立体を着脱する度に、第１のストラップ取り付け要素２５０及び第２のストラップ取り付け要素２５０を取り付けるのではなく、着用者は、第１の下部ストラップ２４２ａ及び第２の下部ストラップ２４２ｂによって形成されたループと、永久的に取り付けられた第１のストラップ取り付け要素２５０及び第２のストラップ取り付け要素２６０と、を、例えば、頭部の上方に、かつ首部の周りに、定置することができるであろう。
【００２０】
ストラップ支持体２２０は、ストラップ取り付け要素を取り付け得る下部取り付け点２２３を含む。下部取り付け点２２３は、ストラップ支持体２２０上の概ね中央の位置に位置付けられる。例えば、下部取り付け点を、例えば、着用者の頭部を想像上の左半分と右半分に分割する矢状面（図示せず）に近接して位置付けてもよい。第１のストラップと第２のストラップとが同様の長さを呈している間に、概ね中央に位置する取り付け点２２３により、第１の取り付け要素と第２の取り付け要素との両方を、１箇所でストラップ支持体２２０に取り付けることができる。図２〜４の例示的実施形態において、下部取り付け点２２３は、ストラップ支持体２２０から外向きに延在するフランジ付き突起部である。下部取り付け点２２３は、例えば、概ね円筒形の形状を有してもよい。いくつかの実施形態では、下部取り付け点２２３は、外側部２２５の直径Ｄが中間又は内側部２２６の直径よりも大きいようなフランジ付き縁部２２４を含む。より詳細を後述するように、ストラップ取り付け要素の開口又は凹部をフランジ付き突起部の上方に位置付けて、１つ以上のストラップ取り付け要素を、下部取り付け点２２３に取り付けてもよい。他の例示的実施形態では、下部取り付け点２２３を、フック、ループ、収容部、棚状支え（shelf）、突起部、フランジ、又は１つ以上のストラップ取り付け要素をストラップ支持体２２０に取り付け得るような他の好適な取り付け点の形態で提供してもよい。いくつかの例示的実施形態では、１つ以上の下部ストラップ及びストラップ取り付け要素を取り付けるために、付加的な下部取り付け点を提供してもよい。
【００２１】
図３は、第１のストラップ取り付け要素２５０と第２のストラップ取り付け要素２６０とが取り付けられる第１の構成における第１のストラップ２４２ａ及び第２のストラップ２４２ｂを示す。例えば、呼吸保護装置（図示せず）が着用者の鼻及び口の上方の使用位置において維持されるように、第１のストラップ２４２ａ及び第２のストラップ２４２ｂは、引っ張られている。リング２６３の一部は、フック２５１のチャネル２５２の内部に位置付けられ、リング２６３は、更に溝２５６の中に位置付けられてもよい。例示的実施形態では、第１の下部ストラップ２４２ａ及び第２の下部ストラップ２４２ｂの張力は、リング２６３の一部の上でチャネル２５２に向けて力をもたらし、かつ第１のストラップ取り付け要素２５０と第２のストラップ取り付け要素２６０との係合解除を防止する。第１の取り付け要素と第２の取り付け要素のフック２５１、溝２５６、及び／又は他の機構は、第１の中央開口２５４及び第２の中央開口２６４を実質的に整列した状態に維持する。つまり、第１の中央開口２５４及び第２の中央開口２６４は、少なくとも部分的に、又は少なくともほとんど重なる。例示的実施形態では、第１の中央開口２５４及び第２の中央開口２６４は、第１及び第２の中央開口が中心Ｃを共有するように、同心円状に重なる。
【００２２】
第１のストラップ取り付け要素（attachments elements）２５０及び第２のストラップ取り付け要素２６０は、取り付けられているとき、回転可能である。つまり、第１のストラップ取り付け要素２５０と第２のストラップ取り付け要素２６０とが取り付けられているとき、第１のストラップ取り付け要素２５０は、第２のストラップ取り付け要素２６０に対して回転し得る。回転可能な第１のストラップ取り付け要素２５０及び第２のストラップ取り付け要素２６０により、第１のストラップ２４２ａ及び第２のストラップ２４２ｂを、着用者の首部の周りに自然に位置付けることができ、かつ複数の構成の間で位置付け可能にし得る。ストラップ２４２ａ、２４２ｂは、概して、可撓性のある弾性材料から作製されるが、回転可能なストラップ取り付け要素は、ストラップが束になり、かつ／又は第１のストラップ取り付け要素及び／又は第２のストラップ取り付け要素が着用者の首部に当たる原因となり得るであろう高圧の点を生じさせるのを防止する。よって、回転可能である第１のストラップ取り付け要素２５０及び第２のストラップ取り付け要素２６０により、第１のストラップ取り付け要素２５０及び第２のストラップ取り付け要素２６０、並びにストラップ２４２ａ、２４２ｂが、特定の着用者の頭部及び首部に概ね沿い、かつ多様な身体特性を有する着用者に快適なフィット性を提供することが可能になる。
【００２３】
例示的実施形態では、第１のストラップ取り付け要素２５０と第２のストラップ取り付け要素２６０とが取り付けられているとき、回転可能であるように、第２のストラップ取り付け要素２６０の第２のリング２６３の弓状部は、第１のストラップ取り付け要素２５０のチャネル２５２及び又は溝２５６の内部で摺動することができる。例示的実施形態では、第１のリング２５３及び第２のリング２６３は、円形開口２５４、２６４を画定する円形リングである。他の例示的実施形態では、第１のストラップ取り付け要素２５０と第２のストラップ取り付け要素２６０とが取り付けられているとき、互いに対して回転し得るように、リング２５３、２６３は、円形、楕円であってもよく、ないしは別の方法で、任意の所望の形状の第１の開口２５４及び第２の開口２６４を画定する湾曲した又は弓状部を呈してもよい。例示的実施形態では、第１のストラップ取り付け要素２５０は、第１の取り付け要素２５０と第２の取り付け要素２６０とが取り付けられている間、第２のストラップ取り付け要素２６０に対して少なくとも４５°回転することができる。様々な例示的実施形態では、第１のストラップ取り付け要素２５０が第２の取り付け要素にのみ取り付けられる第１の構成と、第１のストラップ取り付け要素２５０が第２のストラップ取り付け要素２６０及びストラップ支持体２２０の下部取り付け点２２３に取り付けられる第２の構成との間で位置付け可能であるために、第１のストラップ取り付け要素２５０は、第２のストラップ取り付け要素２６０に対して、少なくとも３０°、６０°、９０°、１２０°、１５０°、１８０°又は１８０°超、回転可能でなければならない。
【００２４】
図３の第１の構成にあるとき、ストラップ２４２ａ、２４２ｂ及び／又は第１のストラップ取り付け要素２５０及び第２のストラップ取り付け要素２６０は、角度θを形成する。第１のストラップ取り付け要素２５０及び第２のストラップ取り付け要素２６０は、上記の通り、自然な位置まで回転することができる。よって、例示的実施形態では、第１のストラップ取り付け要素２５０及び第２のストラップ取り付け要素２６０は、着用者の首部の後にわたって概ね真っ直ぐに位置付けられる。例えば、θは、およそ１７０°〜１９０°、およそ１７５°〜１８５°、又はおよそ１８０°であってもよい。
【００２５】
図４は、第１のストラップ取り付け要素２５０が第２のストラップ取り付け要素２６０及びストラップ支持体２２０の取り付け点２２３に取り付けられる第２の構成における、第１のストラップ２４２ａ及び第２のストラップ２４２ｂを示す。図３の構成と同様、第１のストラップ２４２ａ及び第２のストラップ２４２ｂは、引っ張られて、これにより、例えば、呼吸保護装置（図示せず）は、着用者の鼻及び口の上方の使用位置に維持される。
【００２６】
第１の中央開口２５４及び第２の中央開口２６４は、取り付け点２２３の上方に位置付けられる。中央開口２５４、２６４は、フランジ付き縁部２２４の外径Ｄと同様の、又は外径Ｄよりも若干小さい直径を呈してもよく、これにより、第１のストラップ取り付け要素２５０及び第２のストラップ取り付け要素２６０は、外側部２２５の上方で押され、かつフランジ付き縁部２２４によって、中間又は内側部２２６の上で維持されてもよい。第１のストラップ取り付け部品２５０及び第２のストラップ取り付け部品２６０は、ストラップ支持体２２０の取り付け点２２３に取り付けられているとき、互いに対して回転可能である。上記の通り、第２のストラップ取り付け要素の第２のリング２６３の弓状部は、第１のストラップ取り付け要素２５０のチャネル２５２及び又は溝２５６の内部で摺動することができる。フランジ付き突起部が第１の中央開口２５４及び第２の中央開口２６４を通り抜けるため、第１のストラップ取り付け要素２５０及び第２のストラップ取り付け要素２６０は、取り付け点２２３で取り付けられているとき、中間又は内側部（inert portion）２２６の周りを回転する。
【００２７】
図４の第２の構成にあるとき、ストラップ２４２ａ、２４２ｂ及び／又は第１のストラップ取り付け要素２５０及び第２のストラップ取り付け要素２６０は、角度βを形成する。第１のストラップ取り付け要素２５０及び第２のストラップ取り付け要素２６０は、上記の通り、自然な位置まで回転することができる。よって、例示的実施形態では、第１及び第２のストラップが、着用者のそれぞれの耳の下を、呼吸保護装置（図示せず）のマスク本体に向けて通るとき、第１のストラップ取り付け要素２５０及び第２のストラップ取り付け要素２６０は、概して下向きに角度が付けられている。角度θ及びβは、着用者の身体特性、並びに／又は第１のストラップ２４２ａ及び第２のストラップ２４２ｂの所望の位置付け及び引っ張りによって、変化し得る。しかし、例示的実施形態では、図４の第２の位置における、ストラップ２４２ａ、２４２ｂ並びに／又は第１のストラップ取り付け要素２５０及び第２のストラップ取り付け要素２６０によって形成される角度βは、図３の第１の位置における、ストラップ２４２ａ、２４２ｂ並びに／又は第１のストラップ取り付け要素２５０及び第２のストラップ取り付け要素２６０によって形成される角度θよりも、小さい。いくつかの例示的実施形態では、βは、１７０°未満、１６０°未満、１２０°未満、９０°未満、又は６０°未満であってもよい。いくつかの例示的実施形態では、βは、θよりも４５°未満小さく、θよりも６０°未満小さく、又はθよりも９０°未満小さくてもよい。
【００２８】
図５、６、及び７は、下部取り付け点５２３を有するストラップ支持体５２０と、第１のストラップ取り付け要素５５０を有する第１の下部ストラップ５４２ａと、第２のストラップ取り付け要素５６０を有する第２の下部ストラップ５４２ｂと、を含む、ハーネス組立体５００の別の例示的実施形態の後面図である。図５は、例えば、着用者がハーネス組立体５００を装着している際、第１のストラップ５４２ａ及び第２のストラップ５４２ｂを、それらが取り付けられる直前の、取り付けられていない構成において、示す。図６は、第１のストラップ取り付け要素５５０と第２のストラップ取り付け要素５６０とが取り付けられ、例えば、呼吸保護装置が着用者の鼻及び口の上方の使用位置に維持され得る第１の構成における、第１のストラップ５４２ａ、及び第２のストラップ５４２ｂを示す。図７は、第１のストラップ取り付け要素５５０が第２の取り付け要素５６０及びストラップ支持体５２０の取り付け点５２３に取り付けられ、例えば、呼吸保護装置が着用者の鼻及び口の上方の使用位置に維持され得る第２の構成における、第１のストラップ５４２ａ、及び第２のストラップ５４２ｂを示す。
【００２９】
上記のハーネス組立体２００と同様、第１のストラップ５４２ａ及び第２のストラップ５４２ｂは、第１の端部５４３ａ及び第２の端部５４３ｂに近接した、第１のストラップ取り付け要素５５０及び第２のストラップ取り付け要素５６０を含む。第１のストラップ取り付け要素５５０は、第２のストラップ取り付け要素５６０及びストラップ支持体５２０の取り付け点５２３に取り付け可能である。例示的実施形態では、第１のストラップ取り付け要素５５０は、第１及び第２の取り付け機構を含み、これにより、第１の取り付け機構は、第２のストラップ取り付け要素に取り付け可能であり、第２の取り付け機構は、取り付け点５２３に取り付け可能である。例えば、第１のストラップ取り付け要素５５０は、フランジ５５２を有する突起部５５１の形態の第１の取り付け機構を含んでもよい。他の例示的実施形態では、第１の取り付け機構は、ループ、タブ、フック、収容部、又は他の好適な取り付け機構の形態であってもよい。例示的実施形態では、第２の取り付け機構は、第１のストラップ取り付け要素５５０の角度付き端部５５８によって画定された鍵孔状の（keyed）開口５５７である。鍵孔状の開口５５７は、より大きな部分５５７ａと、より小さな部分５５７ｂと、を含む。
【００３０】
第２のストラップ取り付け要素５６０は、第１のストラップ取り付け要素５５０の取り付け機構を補完する形状を有する１つ以上の取り付け機構を含む。例示的実施形態では、第２のストラップ取り付け要素５６０は、開口又は凹部５６３を含む。開口又は凹部５６３は、第１のストラップ取り付け要素５５０の突起部５５１の上に位置付け可能である。例示的実施形態では、突起部５５１及び／又は開口若しくは凹部５６３を画定する第２のストラップ取り付け要素５６０の一部は、弾性又は可撓性材料から作製され、これにより、開口又は凹部５６３は、フランジ５５２の上方で押圧され、かつ突起部５５１の上で維持されてもよい。
【００３１】
ストラップ支持体５２０は、ストラップ取り付け要素を取り付け得る下部取り付け点５２３を含む。下部取り付け点５２３は、ストラップ支持体５２０上の概ね中央の位置に位置付けられる。例えば、下部取り付け点を、例えば、着用者の頭部を想像上の左半分と右半分に分割する矢状面（図示せず）に近接して位置付けてもよい。第１のストラップと第２のストラップとが同様の長さを呈している間に、概ね中央に位置する取り付け点５２３によって、第１の取り付け要素と第２の取り付け要素との両方を、１箇所でストラップ支持体５２０に取り付けることができる。図５〜７の例示的実施形態において、下部取り付け点５２３は、ストラップ支持体５２０から外向きに延在するフランジ付き突起部である。下部取り付け点５２３は、例えば、外側部５２５における直径Ｄが中間又は内側部５２６における直径よりも大きいようなフランジ付き縁部５２４を有する、概ね円筒形の形状を有してもよい。より詳細を後述するように、ストラップ取り付け要素の開口又は凹部をフランジ付き突起部の上方に位置付けて、１つ以上のストラップ取り付け要素を、下部取り付け点５２３に取り付けてもよい。他の例示的実施形態では、下部取り付け点５２３を、フック、ループ、収容部、棚状支え、又は１つ以上のストラップ取り付け要素をストラップ支持体５２０に取り付け得るような他の好適な取り付け点の形態で提供してもよい。
【００３２】
図６は、第１のストラップ取り付け要素５５０と第２のストラップ取り付け要素５６０とが取り付けられる第１の構成における第１のストラップ５４２ａ及び第２のストラップ５４２ｂを示す。例えば、呼吸保護装置（図示せず）が着用者の鼻及び口の上方の使用位置において維持されるように、第１のストラップ５４２ａ及び第２のストラップ５４２ｂは、引っ張られている。第２のストラップ取り付け要素５６０の開口又は凹部５６３は、第１のストラップ取り付け要素５５０の突起部５５１の上に位置付けられる。突起部５５１のフランジ５５２は、第１のストラップ取り付け要素５５０と第２のストラップ取り付け要素５６０との係合解除を防止する。例示的実施形態では、第１の下部ストラップ５４２ａ及び第２の下部ストラップ５４２ｂの張力は、係合解除を更に防止し得る第１のストラップ取り付け要素５５０と第２のストラップ取り付け要素５６０の上に力をもたらす。
【００３３】
第１のストラップ取り付け要素５５０と第２のストラップ取り付け要素５６０とは、取り付けられているとき、回転可能である。つまり、第１のストラップ取り付け要素５５０と第２のストラップ取り付け要素５６０とが取り付けられているとき、第１のストラップ取り付け要素５５０は、第２のストラップ取り付け要素５６０に対して回転し得る。例えば、開口又は凹部５６３は、円形、楕円であり、ないしは別の方法で、弓状部によって画定され、これにより、開口又は凹部５６３は、突起部５５１の周りを回転し得、逆もまた同様である。例示的実施形態では、第１のストラップ取り付け部品は、第１の取り付け要素と第２の取り付け要素とが取り付けられている間、第２のストラップ取り付け要素に対して少なくとも４５°回転することができる。様々な例示的実施形態では、第１のストラップ取り付け要素が第２の取り付け要素にのみ取り付けられる第１の構成と、第１のストラップ取り付け要素５５０が第２のストラップ取り付け要素５６０及びストラップ支持体５２０の下部取り付け点５２３に取り付けられる第２の構成との間で、第１及び第２のストラップが位置付け可能であるために、第１のストラップ取り付け要素５５０は、第２のストラップ取り付け要素２６０に対して、少なくとも３０°、６０°、９０°、１２０°、１５０°、１８０°又は１８０°超、回転可能でなければならない。
【００３４】
図６の第１の構成にあるとき、ストラップ５４２ａ、５４２ｂ及び／又は第１のストラップ取り付け要素５５０及び第２のストラップ取り付け要素５６０は、角度θを形成する。第１のストラップ取り付け要素５５０及び第２のストラップ取り付け要素５６０は、上記の通り、自然な位置まで回転することができる。よって、例示的実施形態では、第１のストラップ取り付け要素５５０及び第２のストラップ取り付け要素５６０は、着用者の首部の後にわたって概ね真っ直ぐに位置付けられる。例えば、θは、およそ１７０°〜１９０°、およそ１７５°〜１８５°、又はおよそ１８０°であってもよい。
【００３５】
図７は、第１のストラップ取り付け要素５５０が第２の取り付け要素５６０及びストラップ支持体５２０の取り付け点５２３に取り付けられる第２の構成における、第１のストラップ５４２ａ及び第２のストラップ５４２ｂを示す。図６の構成と同様、第１のストラップ５４２ａ及び第２のストラップ５４２ｂは、引っ張られて、これにより、例えば、呼吸保護装置（図示せず）は、着用者の鼻及び口の上方の使用位置に維持される。
【００３６】
第１のストラップ取り付け要素５５０の角度付き端部５５８によって画定された鍵孔状の開口５５７は、取り付け点５２３の上方に位置付けられる。鍵孔状の開口５５７の大きな開口５５７ａは、フランジ付き縁部５２４の大きな外径Ｄと同様の大きさであってもよい。次いで、鍵孔状の開口５５７の小さな開口５５７ｂは、取り付け点５２３の中間又は内側部５２６の上方で下向きに摺動してもよく、これにより、第１のストラップ取り付け要素５５０は、取り付け点５２３の上で維持される。第１のストラップ取り付け要素５５０及び第２のストラップ取り付け要素５６０は、ストラップ支持体５２０の取り付け点５２３に取り付けられているとき、互いに対して回転可能である。上記の通り、第２のストラップ取り付け要素５６０の開口又は凹部５６３は、第１のストラップ取り付け要素５５０の、例えば、フランジ付き突起部５５１の周りを回転することができる。
【００３７】
図７の第２の構成にあるとき、ストラップ５４２ａ、５４２ｂ及び／又は第１のストラップ取り付け要素５５０及び第２のストラップ取り付け要素５６０は、角度βを形成する。第１のストラップ取り付け要素５５０及び第２のストラップ取り付け要素５６０は、上記の通り、自然な位置まで回転することができる。よって、例示的実施形態では、第１のストラップ５４２ａ及び第２のストラップ５４２ｂが、着用者のそれぞれの耳の下を、呼吸保護装置（図示せず）のマスク本体に向けて通るとき、第１のストラップ取り付け要素５５０及び第２のストラップ取り付け要素５６０は、概して下向きに角度が付けられている。角度θ及びβは、着用者の身体特性、並びに／又は第１のストラップ５４２ａ及び第２のストラップ５４２ｂの所望の位置付け及び引っ張りによって、変化し得る。しかし、例示的実施形態では、図７の第２の位置における、ストラップ５４２ａ、５４２ｂ並びに／又は第１のストラップ取り付け要素５５０及び第２のストラップ取り付け要素５６０によって形成される角度βは、図６の第１の位置における、ストラップ５４２ａ、５４２ｂ並びに／又は第１のストラップ取り付け要素５５０及び第２のストラップ取り付け要素５６０によって形成される角度θよりも、小さい（is less that）。いくつかの例示的実施形態では、βは、１７０°未満、１６０°未満、１２０°未満、９０°未満、６０°未満であってもよい。いくつかの例示的実施形態では、βは、θよりも４５°未満小さく、θよりも６０°未満小さく、又はθよりも９０°未満小さくてもよい。
【００３８】
図８は、下部取り付け点８２３を有するストラップ支持体８２０と、第１のストラップ取り付け要素８５０を有する第１の下部ストラップ８４２ａと、第２のストラップ取り付け要素８６０を有する第２の下部ストラップ８４２ｂと、を含む、ハーネス組立体８００の別の例示的実施形態を示す。第１のストラップ８４２ａ、及び第２のストラップ８４２ｂは、第１のストラップ取り付け要素８５０が第２のストラップ取り付け要素８６０及びストラップ支持体８２０の取り付け点８２３に取り付けられ、第１のストラップ８４２ａ、及び第２のストラップ８４２ｂが、引っ張られ、これにより、例えば、呼吸保護装置（図示せず）が着用者の鼻及び口の上方の使用位置に維持される、第２の構成にある。
【００３９】
ハーネス組立体８００は、ハーネス組立体５００と同様であるが、下部取り付け点８２３は、第１の取り付け要素８５０及び第２の取り付け要素８６０を取り付け得る段付き棚状支え８２４を含む。段付き棚状支え８２４は、第１の内側角度付き表面８２５及び第２の内側角度付き表面８２６と、チャネル８２８ａ、８２８ｂを画定する上向きに延在する保持表面８２７と、を含む。第１のストラップ取り付け要素８５０及び第２のストラップ取り付け要素８６０を、段付き棚状支え８２４の表面とストラップ支持体８２０との間で位置付けてもよく、これにより、第１のストラップ取り付け要素８５０及び第２のストラップ取り付け要素８６０は、チャネル８２８ａ、８２８ｂの中の第１の内側角度付き表面８２５及び第２の内側角度付き表面８２６の上に置かれる。第１のストラップ８４２ａ及び第２のストラップ８４２ｂは、第１のストラップ取り付け要素８５０及び第２のストラップ取り付け要素８６０を取り付け点８２３に維持する下向きの力を及ぼしてもよい。
【００４０】
例示的実施形態では、第１のストラップ取り付け要素８５０及び第２のストラップ取り付け要素８６０は、互いに対して回転可能であり、かつ、第１の構成（図示せず）から図８の第２の構成に位置付けられるとき、回転し得る。いくつかの例示的実施形態では、第１の取り付け要素８５０及び第２の取り付け要素８６０は、ストラップ保持装置８５９、８５９を含み、ストラップ８４２ａ、８５２ｂを第１のストラップ取り付け要素８５０及び第２のストラップ取り付け要素８６０に接合してもよい。ストラップ保持装置８５９、８６９をストラップ取り付け要素８５０、８６０と一体的に形成してもよく、又は後に接合してもよい。例示的実施形態では、ストラップ保持装置８５９、８６９は、ストラップ取り付け要素８５０、８６０の一部に回転可能に接続されてもよく、これにより、ストラップ取り付け要素８５０、８６０が取り付け点８２３で取り付けられている時、ストラップ保持装置８５９、８６９及びストラップ８４２ａ、８４２ｂは、枢動又は回転し得る。いくつかの例示的実施形態では、第１のストラップ取り付け要素８５０及び第２のストラップ取り付け要素８６０は、永久的に取り付けられる、又は回転がストラップ保持装置８５９、８６９においてのみ起こるように取り付けられる。米国特許出願第１３／７５６，８９５号（発明の名称「Ｐｅｒｓｏｎａｌ  Ｐｒｏｔｅｃｔｉｖｅ  Ｅｑｕｉｐｍｅｎｔ  Ｓｔｒａｐ  Ｒｅｔａｉｎｉｎｇ  Ｄｅｖｉｃｅｓ」、本願と同日に出願）は、例示的なストラップ保持装置の様々な実施形態に対処しており、参照により本明細書に援用される。
【００４１】
本開示によるハーネス組立体は、いくつかの利点を提供する。取り付けられているとき回転可能な第１及び第２のストラップ保持装置を含むハーネス組立体により、例えば、ハーネス組立体は、複数の構成において位置付けられることが可能になる。従来のハーネス組立体は、ストラップを１つの構成のみにおいて提供することに限定されていたが、本明細書に記載のハーネス組立体により、着用者は、下部ストラップが、例えば、着用者の首部の周りを通る構成、又は下部ストラップがストラップ支持体に取り付けられる構成を、選ぶことができる。着用者は、所望の構成を選択して、衣服、他の個人保護装置、又は着用者の好みに合った好適なフィット性を提供し得る。更に、１つ以上の中央開口を画定するリング又は弓状部を含む取り付け要素により、適切な回転を可能にしつつ、迅速、容易、かつ確実な取り付けが可能になり、これにより、ストラップは、着用者の首部及び頭部の周りに自然に位置付けられ得る。本明細書に記載のハーネス組立体及び取り付け要素は、ハーフフェイスレスピレータ、フルフェイスレスピレータ、電動ファン付き（powered）又は陽圧式レスピレータ、及び他の好適な呼吸保護装置にとって、好適であり得る。
【００４２】
上記の発明を実施するための形態及び実施例は、あくまで明確に理解されるよう示したものである。発明を実施するための形態及び実施例から（there from）無用の限定はないと理解すべきである。本開示の範囲から逸脱することなく、記載された実施形態では多くの変更を行い得ることが、当業者には明白であろう。上記の実施形態のいずれかに関して記載されたいずれかの特徴又は特性を、個別に、又は他のいずれかの特徴又は特性と組み合わせて組み込むことができ、単に明確性のために上記の順序及び組み合わせで提示する。したがって、本開示の範囲は、本明細書に記載された厳密な詳細及び構造に限定されるべきではなく、それよりもむしろ、特許請求の範囲の文言によって説明される構造、及びそれらの構造の等価物によって限定されるべきである。
【図１】
0006422444.tif 000002
【図２】
0006422444.tif 000003
【図３】
0006422444.tif 000004
【図４】
0006422444.tif 000005
【図５】
0006422444.tif 000006
【図６】
0006422444.tif 000007
【図７】
0006422444.tif 000008
【図８】
0006422444.tif 000009